(57)【特許請求の範囲】
【請求項１】
カバーフレームと、
前記カバーフレーム上にその中心線に沿って固設される中央ベースプレートと、
前記中央ベースプレートの左右側に配置され、前記カバーフレーム上に突出した回動軸を中心として回動自在に取り付けられた左側の回動プレート及び右側の回動プレートと、を備え、
前記回動軸は、前記カバーフレームの下面に対して係合されるベースフレームから突出し、
前記ベースフレームの両側面に係合されて前記カバーフレームの面積を拡げる補助フレームを更に備える、ことを特徴とする多重カメラ撮影用リグ。
【請求項２】
前記回動軸と螺合される固定ねじを更に備え、前記固定ねじの締め付けにより前記回動軸に対する前記左／右側の回動プレートの回動が固定又は解放されることを特徴とする請求項１に記載の多重カメラ撮影用リグ。
【請求項３】
前記ベースフレームには、前記回動軸としてのモーター軸を提供する一対のエンコーダーモーター及び前記エンコーダーモーターを駆動するモータードライブが配設され、
前記カバーフレームは、前記モータードライブ及び一対のエンコーダーモーターを覆うように前記ベースフレームと係合され、
前記モータードライブは、前記一対のエンコーダーモーターをそれぞれ別々に又は互いに連動させて駆動して前記左／右側の回動プレートを任意の角度に回動させることを特徴とする請求項１に記載の多重カメラ撮影用リグ。
【請求項４】
前記モータードライブは、前記一対のエンコーダーモーターの間に取り付けられることを特徴とする請求項３に記載の多重カメラ撮影用リグ。
【請求項５】
前記ベースフレーム及びカバーフレームの左右両側の前面の周縁は、それぞれ前記左／右側の回動プレートの回動軌跡に対応する円弧状に形成されたことを特徴とする請求項１又は請求項３に記載の多重カメラ撮影用リグ。
【請求項６】
前記左／右側の回動プレートには、それぞれ前記カバーフレームの上面に対して転動摩擦をするボールキャスターが配設されたことを特徴とする請求項１又は請求項３に記載の多重カメラ撮影用リグ。
【請求項７】
前記カバーフレームには、前記左／右側の回動プレートの回動軌跡に対応する円弧状のスリットが形成され、前記左／右側の回動プレートには、前記スリットに嵌入するガイド部材が配設されたことを特徴とする請求項１又は請求項３に記載の多重カメラ撮影用リグ。
【請求項８】
前記ガイド部材は、前記左／右側の回動プレートに対して垂直方向に固定される第１の部材と、前記第１の部材から突出したピンに対して移動自在に係合され、前記カバーフレームとベースフレームとの間の離隔された空間に嵌入する突出部が配設された第２の部材と、前記ピンに螺合される回転ノブと、を備え、
前記回転ノブのねじ移動に応じて前記カバーフレームに対する前記左／右側の回動プレートの移動が抑制又は解放されることを特徴とする請求項７に記載の多重カメラ撮影用リグ。
【請求項９】
前記ベースフレーム又はカバーフレームに形成された円弧状の周縁に沿って前記左／右側の回動プレートの回転中心に対する角度を示す識別子が表示され、前記ガイド部材には、前記左／右側の回動プレートの中心線に沿う指針が配設されたことを特徴とする請求項８に記載の多重カメラ撮影用リグ。
【請求項１０】
前記補助フレームには、前記カバーフレームに形成されたスリットから延び、且つそれと同じ曲率を有する第２のスリットが形成されたことを特徴とする請求項７に記載の多重カメラ撮影用リグ。
【請求項１１】
前記補助フレームは、前記カバーフレームに形成された円弧状の周縁から延びる同じ曲率の周縁を有する扇子状であることを特徴とする請求項１０に記載の多重カメラ撮影用リグ。
【請求項１２】
前記回動軸と隣り合う前記ベースフレームの一方の面に配設された取付孔に着脱自在に係合されるロッドと、前記ロッドに係合される重りと、を備えるバランスウェイトを更に備えることを特徴とする請求項１又は請求項３に記載の多重カメラ撮影用リグ。
【請求項１３】
前記ベースフレームの底面には、前記中央ベースプレートが延びた方向に沿って摺動可能な移動支持軸が配設されることを特徴とする請求項１又は請求項３に記載の多重カメラ撮影用リグ。
【発明の詳細な説明】
【技術分野】
【０００１】
本発明は、多重カメラ撮影用リグに係り、特に、固定式である中央ベースプレートの左右側に時計回り方向及び反時計回り方向の両方向に回動自在な左／右側の回動プレートを備えて、各回動プレートの回動角度を調節し易くすることにより、多面映像を撮影するときの各カメラ間の角度を手軽に調節することのできる多重カメラ撮影用リグに関する。
【背景技術】
【０００２】
一般大衆が楽しめる様々なエンターテインメントの中でも、映画は、大衆性及びビジネスの規模面からみて、テレビ（ＴＶ）、音楽とともに最も重要なジャンルとして取り上げられている。
【０００３】
近年、伝統的な平面的な映画撮影技法を逸脱して、立体的な視覚効果を与えた３Ｄ映画はもとより、ここに物理的な効果まで加えた４Ｄ映画に至るまで大衆化されて１つの映画を色々な方式で楽しめることも可能になった。
【０００４】
このような新たな映画撮影技法の開発技法の中では、多面映像に関するものがあるが、これは、従来、立方体状の上映館空間のうち前面の１面のみを映写面として用いていたという限界を克服して、左／右面をはじめとする３面以上の多面を複合的な映写面として用いることをいう。
【０００５】
多面映像は、これまで最も大きなサイズの映像を提供していたアイマックス（ＩＭＡＸ）を超えて、人間の視野角以上の広大な画面を実現することができ、ここに３Ｄ、４Ｄ技術を取り入れることにより、なお一層拡張された空間感と、臨場感及び没入感を提供するレベルまで発展している。
【０００６】
多面映像を撮影するためには、複数台のカメラを１つのリグに取り付けて撮影しなければならないが、このとき、中心となるカメラに対して左右のカメラ角度を適切に設定できなければならない。これは、それぞれのカメラにより撮影された複数枚のバラバラの映像を１枚に合わせるためには、中央の映像に対して左右の映像が所定の領域重なり合っていなければ、これらをつなげるスティッチング（ｓｔｉｔｃｈｉｎｇ）作業を行うことができないためである。ところが、カメラの画角はレンズの仕様に応じて変わるため、多面映像を撮影するとき、撮影技法上の必要性などによりレンズを交換すれば、カメラ間の角度を再調整しなければならない。
【０００７】
しかしながら、複数台のカメラを水平方向に連続して取り付け可能なリグとしては、これまでは立体映像を撮影するためのリグ、例えば、米国登録特許第７，８４８，６３５号公報に記載のリグなどしか紹介されておらず、角度を調整可能な多面撮影用リグに適した技術は未だ紹介されていないのが現状である。
【先行技術文献】
【特許文献】
【０００８】
【特許文献１】米国特許第７８４８６３５号明細書（２０１０年１２月７日付け登録）
【発明の概要】
【発明が解決しようとする課題】
【０００９】
本発明は、従来の多重カメラ撮影用リグが、左右のカメラの角度を調節するに際して正確な角度が設定し難く、一々に繰り返し作業により準備することを余儀なくされていたという問題を解消して、多面映像を撮影するときの各カメラ間の角度を正確に且つ便利に調節できるようにする多重カメラ撮影用リグを提供するところにその目的がある。
【課題を解決するための手段】
【００１０】
本発明は、多重カメラ撮影用リグに関するものであり、カバーフレームと、前記カバーフレーム上にその中心線に沿って固設される中央ベースプレートと、前記中央ベースプレートの左右側に配置され、前記カバーフレーム上に突出した回動軸を中心として回動自在に取り付けられた左側の回動プレート及び右側の回動プレートと、を備える。
【００１１】
本発明の一実施形態において、前記回動軸は、前記カバーフレームの下面に対して係合されるベースフレームから突出するような構造に形成されてもよい。
【００１２】
また、この実施形態においては、前記回動軸と螺合される固定ねじを更に備え、前記固定ねじの締め付けにより前記回動軸に対する前記左／右側の回動プレートの回動が固定又は解放されるように構成されてもよい。
【００１３】
一方、本発明の他の実施形態においては、前記ベースフレームには、前記回動軸としてのモーター軸を提供する一対のエンコーダーモーター及び前記エンコーダーモーターを駆動するモータードライブが配設され、前記カバーフレームは、前記モータードライブ及び一対のエンコーダーモーターを覆うように前記ベースフレームと係合され、前記モータードライブは、前記一対のエンコーダーモーターをそれぞれ別々に又は互いに連動させて駆動して前記左／右側の回動プレートを任意の角度に回動させる。
【００１４】
ここで、前記モータードライブは、前記一対のエンコーダーモーターの間に取り付けられてもよい。
【００１５】
また、前記ベースフレーム及びカバーフレームの左右両側の前面の周縁は、それぞれ前記左／右側の回動プレートの回動軌跡に対応する円弧状に形成されてもよい。
【００１６】
更に、前記左／右側の回動プレートには、それぞれ前記カバーフレームの上面に対して転動摩擦をするボールキャスターが配設されてもよい。
【００１７】
本発明の実施形態によっては、前記カバーフレームには、前記左／右側の回動プレートの回動軌跡に対応する円弧状のスリットが形成され、前記左／右側の回動プレートには、前記スリットに嵌入するガイド部材が配設される。
【００１８】
ここで、前記ガイド部材は、前記左／右側の回動プレートに対して垂直方向に固定される第１の部材と、前記第１の部材から突出したピンに対して移動自在に係合され、前記カバーフレームとベースフレームとの間の離隔された空間に嵌入する突出部が配設された第２の部材と、前記ピンに螺合される回転ノブと、を備え、前記回転ノブのねじ移動に応じて前記カバーフレームに対する前記左／右側の回動プレートの移動が抑制又は解放されてもよい。
【００１９】
また、前記ベースフレーム又はカバーフレームに形成された円弧状の周縁に沿って前記左／右側の回動プレートの回転中心に対する角度を示す識別子が表示され、前記ガイド部材には、前記左／右側の回動プレートの中心線に沿う指針が配設されてもよい。
【００２０】
その一方では、本発明の一実施形態において、前記ベースフレームの両側面に係合されて前記カバーフレームの面積を拡げる補助フレームを更に備えていてもよい。
【００２１】
ここで、前記ベースフレーム及びカバーフレームの左右の両側にそれぞれ前記左／右側の回動プレートの回動軌跡に対応する円弧状の周縁及びスリットが形成されているならば、前記補助フレームに前記カバーフレームに形成されたスリットから延び、且つそれと同じ曲率を有する第２のスリットが形成されることが好ましく、なお、前記補助フレームは、前記カバーフレームの円弧状の周縁から延びる同じ曲率の周縁を有する扇子状であることも好ましい。
【００２２】
その一方では、本発明の多重カメラ撮影用リグは、前記回動軸と隣り合う前記ベースフレームの一方の面に配設された取付孔に着脱自在に係合されるロッドと、前記ロッドに係合される重りと、を備えるバランスウェイトを更に備えていてもよい。
【００２３】
代案的に、本発明の多重カメラ撮影用リグは、前記ベースフレームの底面に前記中央ベースプレートが延びた方向に沿って摺動可能な移動支持軸が配設されて荷重が加えられる中心を可変とすることにより、バランスウェイトに代用することもできる。
【発明の効果】
【００２４】
上述したような多重カメラ撮影用リグの実施形態によれば、固定式である中央ベースプレートの左右側に配設された左／右側の回動プレートが時計回り方向及び反時計回り方向の両方向に回動自在になることから、各回動プレートの回動角度を簡単に調節することができ、その結果、多面映像を撮影するときの各カメラ間の角度を手軽に調節することができるというメリットを有する。
【００２５】
また、左／右側の回動プレートをエンコーダーモーターにより回動されるように構成すると、各回動プレートの回動角度をエンコーダーモーターの制御により正確に調節することができるので、各カメラ間の角度を正確に、便利に且つ自動的に調節することができるというメリットを有する。
【図面の簡単な説明】
【００２６】
【図１】本発明の一実施形態による多重カメラ撮影用リグの分解斜視図である。
【図２】図１の多重カメラ撮影用リグの組立て斜視図である。
【図３】図２の「Ａ−Ａ」切取線に沿った断面図である。
【図４】図２の多重カメラ撮影用リグに補助フレームが追加される一実施形態を示す斜視図である。
【図５】図２の多重カメラ撮影用リグにバランスウェイトが取り付けられる他の実施形態を示す斜視図である。
【図６】図２の多重カメラ撮影用リグの底面に配設される移動支持軸の構造を示す斜視図である。
【図７】本発明の他の実施形態による多重カメラ撮影用リグの分解斜視図である。
【図８】図７の多重カメラ撮影用リグの変形された実施形態を示す分解斜視図である。
【発明を実施するための形態】
【００２７】
以下、添付図面に基づき、本発明の好適な実施形態について詳細に説明する。
【００２８】
本発明の実施形態について説明するに当たって、通常の技術者にとって自明に理解可能な公知の構成についての説明は、本発明の要旨を曖昧にしないために省略する。なお、図面を参照するときには、図示の線の太さや構成要素の大きさなどが説明の明瞭性及び便利性のために誇張されているということを考慮しなければならない。
【００２９】
図１及び図２を参照して、多重カメラ撮影用リグ１０の一実施形態について説明すれば、下記の通りである。
【００３０】
図示の実施形態による多重カメラ撮影用リグ１０は、大きく、ベースフレーム１００及びカバーフレーム２００と、ベース／カバーフレーム１００、２００の間に配置されるエンコーダーモーター１２０及びモータードライブ１１０と、カバーフレーム２００の上に設けられる中央ベースプレート３００及び左／右側の回動プレート４００−１、４００−２と、を備える。
【００３１】
ベースフレーム１００は、多重カメラ撮影用リグ１０の骨格をなす底面板であり、多重カメラ撮影用リグ１０の上に取り付けられる３台のカメラの荷重を支えながら変形を引き起こさないほどの十分な剛性を有するように底面板の周縁及びその内部領域の一部に所定の高さの壁が突設されている。
【００３２】
ベースフレーム１００の上には、その中心線に沿ってモータードライブ１１０が配設され、中央のモータードライブ１１０の左右側には、それぞれエンコーダーモーター１２０が１つずつ固定され、これにより、ベースフレーム１００の左右に重さのバランスが取られる。
【００３３】
モータードライブ１１０は、外部の制御器（図示せず）の指令を受けて一対のエンコーダーモーター１２０を所定の時間又は所定の角度に見合う分だけ作動させる駆動器であり、各エンコーダーモーター１２０をそれぞれ別々に作動させたり、各エンコーダーモーター１２０を互いに連動させて同じ程度に同時に作動させたりすることができる。すなわち、それぞれのエンコーダーモーター１２０をそれぞれ別々に非同時的に作動させることにより、回転角度及び方向が異なるようにしてもよく、それぞれのエンコーダーモーター１２０を互いに連動させて同時に作動させることにより、回転角度及び方向が同じくなるようにしてもよい。ここで、「同じ程度」と記述した理由は、後述する左／右側の回動プレート４００−１、４００−２が中央ベースプレート３００を基準として対称をなすため、回転する角度の量は同じであるとはいえ、方向が互いに反対になる場合もあるためである。
【００３４】
一実施形態において、前記エンコーダーモーター１２０としては、ウォームギアタイプのものが適用されるが、ウォームギアが高い減速比を有し、しかも、一方ギアであるため制動機構が不要であるという特性が、左／右側の回動プレート４００−１、４００−２の駆動に適しているためである。
【００３５】
カバーフレーム２００は、ベースフレーム１００の上に取り付けられたモータードライブ１１０及び一対のエンコーダーモーター１２０を覆うようにベースフレーム１００と係合される。また、カバーフレーム２００には、下部に配設されている各エンコーダーモーター１２０から突出したモーター軸１２５が貫通する貫通孔２１０が形成されている。ここで、図示のように、ベースフレーム１００及びカバーフレーム２００は、略同じ形状を有していてもよいが、これに限定されない。
【００３６】
多重カメラ撮影用リグ１０に加えられる荷重は、最終的にベースフレーム１００に伝わるので、カバーフレーム２００は、適切な強さを保つ限り、ベースフレーム１００に比べて薄肉に形成してもよい。
【００３７】
カバーフレーム２００の上には、３台のカメラを取付け可能な３つのプレート３００、４００−１、４００−２が設けられるが、設置されるカメラの役割を考慮して、固定式プレート及び回動式プレートにその種類を異ならせて構成している。
【００３８】
まず、カバーフレーム２００上にその中心線に沿って固設される中央ベースプレート３００は固定式プレートであり、多重カメラ撮影用リグ１０の真ん中にあるカメラを設置するためのプレートである。多面撮影のために複数のカメラを１つのリグに設置するときには、真ん中にあるカメラを基準としてその左右のカメラを適正な角度に調節し易いので、本発明においても真ん中の中央ベースプレート３００を固定式に構成している。
【００３９】
これに対し、中央ベースプレート３００の左右側には、角度を調節可能な回動式プレートとしての左側の回動プレート４００−１及び右側の回動プレート４００−２が配置される。左／右側の回動プレート４００−１、４００−２は、中央ベースプレート３００が設けられたカバーフレーム２００の中心線を基準として実質的に対称をなすような構造であるため、いずれか一方の回動プレートについての説明は、他方のの回動プレートに対してもそのまま適用可能である。
【００４０】
左側の回動プレート４００−１を基準として説明すると、カバーフレーム２００に形成された貫通孔２１０の上に突出したモーター軸１２５に左側の回動プレート４００−１の一方の端が係合される。これにより、外部制御器（図示せず）の指令を受けるモータードライブ１１０の作動により所定の時間又は所定の角度に見合う分だけエンコーダーモーター１２０が駆動されると、左側の回動プレート４００−１はモーター軸１２５を中心としてして所定量回動する。
【００４１】
左側の回動プレート４００−１の円滑な回転のために軸受け２３０を用いてモーター軸１２５と連結してもよく、左側の回動プレート４００−１の回動角度は、例えば、中央ベースプレート３００を基準としてこれと平行な０°から反時計回り方向（右側の回動プレートは時計回り方向）に約４５°まで回転するように設計可能である。軸受け２３０は、軸方向及びこれと直交する方向の両方に対して荷重を受ける状態で回転可能なクロスローラ軸受けであることが好ましい。
【００４２】
右側の回動プレート４００−２も基本的な構造は左側の回動プレート４００−１と同様であり、但し、回動する方向が反対であることに相違点がある。
【００４３】
このように、本発明の多重カメラ撮影用リグ１０は、固定式の中央ベースプレート３００及び回動可能な左／右側の回動プレート４００−１、４００−２の合計で３つのプレート３００、４００−１、４００−２を備えており、各プレートの上に１つずつのカメラが取り付けられて基本的に３つのカメラが多面撮影を行うように構成されている。もちろん、３つ未満のカメラを取り付けて撮影することもできる。
【００４４】
ここで、１つの多重カメラ撮影用リグ１０に合計で３台のカメラが取り付けられると、その重量がかなり高いため、多重カメラ撮影用リグ１０の軽量化を図るための工夫をする必要がある。
【００４５】
このために、本発明の一実施形態においては、ベースフレーム１００及びカバーフレーム２００の前側（カメラが眺める方向）の周縁を左／右側の回動プレート４００−１、４００−２の回動軌跡に対応する円弧状に形成している。すなわち、左／右側の回動プレート４００−１、４００−２の回動に必要な面積を除く部分は除去することにより軽量化を図っている。なお、ベースフレーム１００においてモータードライブ１１０及びエンコーダーモーター１２０が占める面積を除く残りの部分の一部も構造的な強さを大幅に阻害しない範囲内において除去して軽量化を図ることができる（図１及び図６参照）。但し、カバーフレーム２００は、ベースフレーム１００との間に取り付けられた電気機構（エンコーダーモーター、モータードライブ）を雨水や塵埃などの異物から保護するために、ベースフレーム１００の場合とは反対に、できる限り切欠部を形成しないことが好ましい。
【００４６】
本発明の一実施形態による多重カメラ撮影用リグ１０の基本的な構成は上述した通りであり、以下、実施形態によりそれぞれ別々に又は一緒に適用可能な追加的な構成について説明する。
【００４７】
上述した左／右側の回動プレート４００−１、４００−２は、その上に重量の高いカメラが取り付けられた状態で回動をしなければならないため、円滑な回転のためにカバーフレーム２００との摩擦を低減する必要がある。このために、左／右側の回動プレート４００−１、４００−２には、それぞれカバーフレーム２００の上面に対して転動摩擦をするように自転自在なボールキャスター４１０を備えていてもよい。ここで、ボールキャスター４１０に加えられる荷重が均一に分散されるように２つのボールキャスター４１０を設けてもよい。
【００４８】
また、左／右側の回動プレート４００−１、４００−２が正確な軌跡に沿って回動するように、カバーフレーム２００に左／右側の回動プレート４００−１、４００−２の回動軌跡に対応する円弧状のスリット２２０を形成し、左／右側の回動プレート４００−１、４００−２にはこのスリット２２０に嵌入するガイド部材４２０を備える構成を追加してもよい。
【００４９】
このようなガイド部材４２０の詳細な構造は図３に示されているが、ガイド部材４２０は、左／右側の回動プレート４００−１、４００−２に対して垂直方向に固定される第１の部材４２２と、前記第１の部材４２２から突出したピン４２９に対して移動自在に係合され、カバーフレーム２００とベースフレーム１００との間の離隔された空間に嵌入する突出部が配設された第２の部材４２４と、前記突出ピン４２９に螺合されて前記第２の部材４２４と向かい合う回転ノブ４２６と、を備えている。
【００５０】
第１の部材４２２は、左／右側の回動プレート４００−１、４００−２の前端に形成された３つのねじ孔を介して突出する３つの固定ピン４２８に螺合されて左／右側の回動プレート４００−１、４００−２に対して垂直下方に固定され、カバーフレーム２００に形成されたスリット２２０を貫通して突出する。
【００５１】
第２の部材４２４は、第１の部材４２２の側面に形成された他の３つのねじ孔を貫通して突出した３つの突出ピン４２９に遊嵌されて突出ピン４２９に対して摺動可能であるが、第２の部材４２４に嵌め込まれた３つの突出ピン４２９のうち中央のピンのみが長く突出し、左右の２つのピンは第２の部材４２４が回転しないように制限する役割を果たす。
【００５２】
また、回転ノブ４２６は中央のピンに螺合されて第２の部材４２４をベースフレーム１００及びカバーフレーム２００に密着するように付勢して摩擦力を加えたり緩めたりする。
【００５３】
このようなガイド部材４２０は、左／右側の回動プレート４００−１、４００−２の回動軌跡を誘導するとともに、回転ノブ４２６を締め付ける場合、カバーフレーム２００に対する左／右側の回動プレート４００−１、４００−２の移動を抑えることにより、所定の角度だけ回転された左／右側の回動プレート４００−１、４００−２が動かないように固定する役割も果たす。
【００５４】
更に、ベースフレーム１００又はカバーフレーム２００に形成された円弧状の周縁に沿って左／右側の回動プレート４００−１、４００−２の回転中心に対する角度を示す目盛りや数字などの識別子（ｉｄｅｎｔｉｆｉｅｒ）１３０を表示（図３は、ベースフレームに表示された場合を示す）し、ガイド部材４２０（図３における第２の部材）には、左／右側の回動プレート４００−１、４００−２の中心線に沿う尖った形状の指針（ｐｏｉｎｔｅｄ  ｇｕｉｄｅｌｉｎｅ）４３０を備えることにより、左／右側の回動プレート４００−１、４００−２の角度を目視できるように構成してもよい。
【００５５】
更にまた、図４に示す本発明の一実施形態において、ベースフレーム１００の両側面に係合されてカバーフレーム２００の面積を拡げる補助フレーム５００を更に備えていてもよい。すなわち、カバーフレーム２００が基本的に提供する回動範囲を超えてより大きな角度で左／右側の回動プレート４００−１、４００−２を回転させるようにカバーフレーム２００の左右側に補助フレーム５００を係合する実施形態であり、結果的に、これは、カバーフレーム２００を拡げる。
【００５６】
ここで、ベースフレーム１００及びカバーフレーム２００の左右の両側にそれぞれ左／右側の回動プレート４００−１、４００−２の回動軌跡に対応する円弧状の周縁及びスリット２２０が形成されていると、補助フレーム５００にもカバーフレーム２００に形成されたスリット２２０から延び、且つそれと同じ曲率（ｃｕｒｖａｔｕｒｅ）を有する第２のスリット５１０を形成することが好ましい。
【００５７】
加えて、補助フレーム５００の形状をカバーフレーム２００の円弧状の周縁から延びる同じ曲率の周縁を有する扇子状にすると、多重カメラ撮影用リグ１０の本体形状との統一性を図ることができ、軽量化の側面からみても好ましく、カバーフレーム２００でのように目盛りや数字などの識別子を連続して表示することもできる。
【００５８】
また、実施形態によっては、モーター軸１２５と隣り合うベースフレーム１００の一方の面（図５を基準として下部の一方の面）に形成された取付孔１４０を備え、この取付孔１４０に着脱自在に係合されるロッド６１０及び前記ロッド６１０に係合される重り（ｂａｌｌａｓｔ）６２０を有するバランスウェイト６００を更に備えていてもよい。
【００５９】
バランスウェイト６００は、多重カメラ撮影用リグ１０が複数台のカメラの重さに起因して転倒されることを防ぐために相対的に重量の低いカメラの後方側に設けられる釣り合い手段である。このため、図５に示すように、バランスウェイト６００は、左右のバランスを取るために、多重カメラ撮影用リグ１０の中心線、すなわち、中央ベースプレート３００の延長線に沿って後方に延びることが好ましく、取り付けられる重り６２０の数を調節可能にしたり、重り６２０をロッド６１０に沿って移動可能にしたりして重心を移動可能にすることも好ましい。
【００６０】
更に、ベースフレーム１００の取付孔１４０に係合されるクランプ６５０を用いて、バランスウェイト６００のロッド６１０が強固に取り付けられるようにしてもよい。
【００６１】
代案的に、バランスウェイト６００を取り付けることなく、多重カメラ撮影用リグ１０の重さのバランスを取ることのできる他の実施形態が図６に示されている。図６の実施形態においては、ベースフレーム１００の底面に中央ベースプレート３００が延びた方向に沿って摺動可能な移動支持軸７００を配設している。例えば、ベースフレーム１００の底面に中心線に沿って段差７１０付き溝を形成し、ここに移動支持軸７００を嵌め込んで摺動自在に構成する。
【００６２】
本発明の多重カメラ撮影用リグ１０は、三角台やトラックドリー（ｔｒａｃｋ  ｄｏｌｌｙ）又はジミージブ（ｊｉｍｍｙ  ｊｉｂ）やテクノクレーン（ｔｅｃｈｎｏ  ｃｒａｎｅ）などに取り付けられて撮影に用いられるが、このような撮影用据置き機構に取り付けられる多重カメラ撮影用リグ１０のアダプターを摺動可能な移動支持軸７００により構成すると、移動支持軸７００の前後への移動につれて支点が移動して荷重が加えられる中心が変わるので、多重カメラ撮影用リグ１０のバランスを取ることが可能になる。
【００６３】
実施形態によっては、段差７１０部にねじ孔７２０を穿孔し、ボルト７３０を嵌め込んで移動支持軸７００を付勢するなどして移動支持軸７００を強固に固定することも好ましい。
【００６４】
一方、上述した多重カメラ撮影用リグ１０の実施形態は、エンコーダーモーター１２０を用いて自動的に左／右側の回動プレート４００−１、４００−２の回動角度及び方向などを制御するような構成を有するものであるが、エンコーダーモーター１２０及びモータードライブ１１０を採用することなく、手動で左／右側の回動プレート４００−１、４００−２を回動可能な他の実施形態が図７に示されている。
【００６５】
図７の手動式多重カメラ撮影用リグ１０は、単にエンコーダーモーター１２０のモーター軸１２５に対応する位置に合わせてベースフレーム１００から突出する回動軸８１０を設け、この回動軸８１０に左／右側の回動プレート４００−１、４００−２を回動自在に嵌め込んだ構造を有するものであるといえる。
【００６６】
このような実施形態において、左／右側の回動プレート４００−１、４００−２が適正な角度に回動された後に固定されるために、回動軸８１０の上面に固定ねじ８２０を螺合してもよい。すなわち、この固定ねじ８２０を締め付けることにより、左／右側の回動プレート４００−１、４００−２がカバーフレーム２００に対して付勢されて回動されないように固定してもよい。
【００６７】
また、図８は、手動式多重カメラ撮影用リグ１０の他の変形例を示すものであるが、ベースフレーム１００なしにカバーフレーム２００のみを設け、このカバーフレーム２００それ自体に回動軸８１０を突設した構造である。もちろん、ベースフレーム１００がないという点を考慮して、カバーフレーム２００が全体の荷重を支えるようにやや厚肉にする必要があるとか、ガイド部材４２０及びこのためのスリット２２０などの構成が適用されていないとかという点を除いては、固定ねじ８２０などの構成は同様である。
【００６８】
更に、上記の図７及び図８に示す手動式多重カメラ撮影用リグ１０についての説明は、自動式（電動式）多重カメラ撮影用リグ１０に比べて特徴的であるといえる構成のみについての説明であるため、構造的に両立できない場合や適用不能な場合を除いて、識別子３００、ボールキャスター４１０、ガイド部材４２０、補助フレーム５００、バランスウェイト６００、移動支持軸７００などの構成要素も手動式多重カメラ撮影用リグ１０に同様に適用可能であるということに留意すべきである。
【符号の説明】
【００６９】
１０    多重カメラ撮影用リグ
１００  ベースフレーム
１１０  モータードライブ
１２０  エンコーダーモーター
１２５  モーター軸
１３０  識別子
２００  カバーフレーム
２１０  貫通孔
２２０  スリット
３００  中央ベースプレート
４００−１  左側の回動プレート
４００−２  右側の回動プレート
４１０  ボールキャスター
４２０  ガイド部材
４２２  第１の部材
４２４  第２の部材
４２６  回転ノブ
４２８  固定ピン
４２９  突出ピン
４３０  指針
５００  補助フレーム
５１０  第２のスリット
６００  バランスウェイト
６１０  ロッド
６２０  重り
７００  移動支持軸
８１０  回動軸
８２０  固定ねじ
【図１】
0006368045.tif 000002
【図２】
0006368045.tif 000003
【図３】
0006368045.tif 000004
【図４】
0006368045.tif 000005
【図５】
0006368045.tif 000006
【図６】
0006368045.tif 000007
【図７】
0006368045.tif 000008
【図８】
0006368045.tif 000009